(57)【要約】【課題】小さな力で取り扱うことのできるピンチおよびこのピンチを用いた洗濯物ハンガーを提供する。【解決手段】ピンチ１０は、２枚の板１２、１４を備え、板１２の主面の端部に凸部１６を有する。２枚の板１２、１４は、凸部１６を内側にして重ねあわされる。２枚の板１２、１４の反対側の端部には、２枚の板１２、１４を係止する係止部１８を備える。係止部１８は、２枚の板１２をほぼ凸部１６の高さの分だけ離間させるスペーサを備える。手の２指を添えて、２枚の板１２、１４の凸部１６のある側を紙面水平方向に押し開き、挟持物としての洗濯物を２枚の板１２、１４の間に挟み込んだ状態で、再び、２枚の板１２、１４を重ね合わせることにより、洗濯物をピンチ１０に挟持する。【選択図】図１
2006110395.tif 000002
【特許請求の範囲】
【請求項１】
少なくとも１枚の板の主面の端部に凸部を有し、該凸部を内側にして重ねあわされる２枚の板と、該凸部の設けられる側とは反対側の端部で該２枚の板を係止する係止部を備え、該２枚の板が該係止部を中心として相互に回動可能に構成されてなることを特徴とするピンチ。
【請求項２】
前記凸部の設けられる板に対して回動方向にスライド可能にスライダーが該板に取り付けられ、該スライダーに前記凸部が取り付けられてなることを特徴とする請求項１記載のピンチ。
【請求項３】
前記２枚の板を所定の力で圧接するばねが設けられてなることを特徴とする請求項１または２記載のピンチ。
【請求項４】
前記２枚の板が可撓性材料で形成されていることを特徴とする請求項１〜３の記載のピンチ。
【請求項５】
前記２枚の板を吸着させる磁石構造が設けられてなることを特徴とする請求項１〜４のいずれか１項に記載のピンチ。
【請求項６】
前記２枚の板の回動する側の端部の幅寸法が異なることを特徴とする請求項１〜５のいずれか１項に記載のピンチ。
【請求項７】
洗濯物を挟むために用いられることを特徴とする請求項１〜６のいずれか１項に記載のピンチ。
【請求項８】
吊り具によって請求項１〜７のいずれか1項に記載のピンチが複数吊りさげられてなることを特徴とする洗濯物ハンガー。
【発明の詳細な説明】
【技術分野】
【０００１】
本発明は、ピンチおよび洗濯物ハンガーに関する。
【背景技術】
【０００２】
主に小物の洗濯物を多数まとめて干すために、洗濯物ハンガーが用いられる。洗濯物ハンガーは、例えば折り畳み可能な矩形枠体状の部材に複数の吊り具が吊り下げられ、それぞれの吊り具の先端に洗濯バサミ（ピンチあるいはクリップ）が取り付けられた構造を有する。そして、それぞれの洗濯バサミに洗濯物が吊り下げられる。
【０００３】
洗濯バサミは、通常樹脂で形成される２枚の板材が重ねあわされた形態に構成され、ばねによって２枚の板材の洗濯物を挟む側の端部が圧接するとともに、反対側の端部が押し開かれた状態となっている。
そして、片手の２指で２枚の板材の上記反対側の２つの端部を押し狭めることで圧接する側の２つの端部を開いて隙間を作り、他方の片手に持った洗濯物の端部をこの隙間に挿入した状態で洗濯バサミを持つ手を放すことにより、ばねの復元力によって圧接する側の２つの端部が再度圧接され、洗濯物が確実に、挟持される。
【０００４】
洗濯物ハンガーについては、洗濯物を確実に挟持する観点や洗濯物ハンガーにバランスよく洗濯物を干す観点やあるいはまた吊り具に吊り下げた洗濯バサミが絡み合うことを防止する観点等、種々の観点からこれまで種々の工夫がなされている（例えば、特許文献１〜４参照）。
【特許文献１】実開Ｈ７−２７４８８号公報
【特許文献２】実開Ｈ７−２４２９０号公報
【特許文献３】実開Ｈ５−１４９２号公報
【特許文献１】特開Ｈ７−２９９２９２号公報
【発明の開示】
【発明が解決しようとする課題】
【０００５】
しかしながら、従来の洗濯バサミは、いずれも、洗濯物を確実に挟持するためにばねを利用したものであるため、比較的大きな力で洗濯バサミを操作する必要がある。この不具合は、洗濯バサミに限らず、物を挟むピンチ全般に共通する課題でもある。
また、前記した洗濯バサミの構造上、２枚の板の端部が押し開かれた、かさばった形態となっているため、洗濯バサミの取り扱いが煩雑であり、あるいはまた、洗濯物ハンガーに吊り下げた多数の洗濯バサミがからみあったりする不都合も生じうる。
【０００６】
本発明は、上記の課題に鑑みてなされたものであり、小さな力で取り扱うことのできるピンチおよびこのピンチを用いた洗濯物ハンガーを提供することを目的とする。
また、本発明は、かさばらない形態のピンチおよびこのピンチを用いた洗濯物ハンガーを提供することを目的とする。
【課題を解決するための手段】
【０００７】
本発明に係るピンチは、少なくとも１枚の板の主面の端部に凸部を有し、該凸部を内側にして重ねあわされる２枚の板と、該凸部の設けられる側とは反対側の端部で該２枚の板を係止する係止部を備え、該２枚の板が該係止部を中心として相互に回動可能に構成されてなることを特徴とする。
【０００８】
また、本発明に係るピンチは、前記凸部の設けられる板に対して回動方向にスライド可能にスライダーが該板に取り付けられ、該スライダーに前記凸部が取り付けられてなることを特徴とする。
【０００９】
また、本発明に係るピンチは、前記２枚の板を所定の力で圧接するばねが設けられてなることを特徴とする。
【００１０】
また、本発明に係るピンチは、前記２枚の板が可撓性材料で形成されていることを特徴とする。
【００１１】
また、本発明に係るピンチは、前記２枚の板を吸着させる磁石構造が設けられてなることを特徴とする。
【００１２】
また、本発明に係るピンチは、前記２枚の板の回動する側の端部の幅寸法が異なることを特徴とする。
【００１３】
また、本発明に係るピンチは、洗濯物を挟むために用いられることを特徴とする。
【００１４】
また、本発明に係る洗濯物ハンガーは、吊り具によって上記ピンチが複数吊りさげられてなることを特徴とする。
【発明の効果】
【００１５】
本発明に係るピンチおよび洗濯物ハンガーは、少なくとも１枚の板の主面の端部に凸部を有し、凸部を内側にして重ねあわされる２枚の板と、凸部の設けられる側とは反対側の端部で２枚の板を係止する係止部を備え、２枚の板が係止部を中心として相互に回動可能に構成されているため、手指の小さな力で、２枚の板を板面（主面）の延出方向に回動させて開いた状態で被挟持物を挟んだ後、２枚の板を閉じ合わせることで板の凸部と相手側の板との間に被挟持物を確実に保持することができる。
また、本発明に係るピンチおよび洗濯物ハンガーは、従来のもののようにピンチがかさばることがないため、例えば取り扱いが容易である。
【発明を実施するための最良の形態】
【００１６】
本発明の実施の形態について、ピンチとして洗濯バサミを例に取り、図を参照して、以下に説明する。
【００１７】
まず、図１および図２を参照して、本発明に係るピンチの第１の例を説明する。図１はピンチ１０の平面図を、図２はピンチ１０の側面図をそれぞれ示す。
第１の例のピンチ１０は、２枚の板１２、１４を備え、板１２の主面（図１中、紙面に沿った面）の端部には直方体状の凸部１６を有する。そして、２枚の板１２、１４は、凸部１６を内側にして重ねあわされる。
２枚の板１２、１４の凸部１６の設けられる側とは反対側の端部には、２枚の板１２、１４を係止する係止部１８を備える。係止部１８は、この場合、２枚の板１２をほぼ凸部１６の高さの分だけ離間させるスペーサ１８ａと、スペーサ１８ａおよび２枚の板１２、１４を連通して形成される孔１８ｂ、１８ｃ、１８ｄを挿通するピン部材１８ｅで構成される。スペーサ１８ａは、この場合、板１２に固着される。ピン部材１８ｅは、例えば先端部が孔１８ｄに嵌挿されて板１４に固着されるとともに、孔１８ｂ、１８ｃに緩挿されて、ピン部材１８ｅの頭で抑えられてスペーサ１８ａおよび２枚の板１２、１４が一体化される。
【００１８】
上記のように構成されるピンチ１０は、例えば手の親指および人差し指を添えて、２枚の板１２、１４の凸部１６のある側を紙面水平方向に押し開き、挟持物としての洗濯物（図２中、矢印Ａで示す。）を２枚の板１２、１４の間に挟み込んだ状態で、再び、２枚の板１２、１４を重ね合わせることにより、洗濯物Ａをピンチ１０に挟持することができる。このとき、通常の洗濯バサミでは、洗濯物を洗濯バサミに挟む際に、ばねの力に抗して洗濯バサミの先端部を押し開く必要があるが、ピンチ１０によれば、２枚の板１２、１４を回動、スライドさせるだけの小さな力で洗濯物をピンチ１０に挟むことができる。また、ピンチ１０は、通常の洗濯バサミに比べてかさばりが少ないため、取り扱いが容易である。
なお、ピンチ１０は、凸部１６を省略した場合、２枚の板１２、１４が全面にわたって密着してしまい２枚の板１２、１４を回動して開閉する操作を円滑に行うことが困難になるか、あるいは、２枚の板１２、１４の間に常時隙間を設けた場合は、洗濯バサミとしての機能が不十分となるおそれがある。
【００１９】
ピンチ１０は、図３Ａの平面図に示すように、板１２ａに複数の凸部１６ａ、１６ｂを設けてもよく、この場合、洗濯物をより確実にピンチ１０に挟持することができる。このとき、凸部１６ａ、１６ｂを、図３Ａ中、左右方向（回動方向）に稜線が延びる山形状に形成してもよい。また、ピンチ１０は、図３Ｂの平面図に示すように、板１２ｂの幅方向に狭い幅を持つ凸部１６ｃの形に形成してもよい。
また、ピンチ１０は、板１４に板１２と同様の凸部を設けてもよい。このとき、板１４および板１２の凸部は、板１４および板１２を重ね合わせた状態において当接するようにしてもよく、例えば、図３Ｃの平面図に示すように、板１２ｃに設けた山形の凸部１６ｄと板１４ａに設けた谷形の凹部を上表面に有する凸部１６ｅとが当接するように構成すると、好適である。また、板１４および板１２のそれぞれに図３Ａのように複数の凸部を設ける場合は、相互に凸部が嵌合するようにしてもよい。
また、ピンチ１０の凸部は、直方体状の形状に限らず、適宜の形状とすることができる。例えば、凸部を半球状とすると、２枚の板の移動の操作を円滑に行うことができ、また、洗濯物をピンチ１０に着脱する際に洗濯物が凸部にひっかかるおそれも少ない。また、凸部を回動方向にテーパを有する形状とすると、相手方の板をテーパ部分に沿ってスライドさせることができるため、２枚の板の移動の操作を円滑に行うことができる。
また、係止部１８は、上記の説明に関わらず、適宜の係止構造を採用することができる。また、係止部１８のスペーサ１８ａは必要に応じて省略することもできる。また、厚い洗濯物をピンチで挟持する場合は、スペーサ１８ａの厚みを厚くして、凸部と相手方の板との間に洗濯物の厚みよりは十分に小さい範囲で隙間を設けてもよい。
【００２０】
ピンチ１０の２枚の板１２、１４の材料は特に限定するものではなく、木（木材）、樹脂、金属等の適宜のものを用いることができる。例えば、ピンチ１０の材料として木を用いれば、自然で穏やかな質感を得ることができ、耐候性にも優れる。また、樹脂を用いれば、ピンチを安価に得ることができるとともに、所望の色やデザインの施されたピンチを得ることも容易である。また、金属を用いれば、耐久性があり、また意匠性にも優れる。凸部１６は、ラバーで形成すると、洗濯物との密着力に優れ、また、洗濯物を凸部で損傷することもない。
なお、以上説明したピンチ１０の構造および材料等は、以下に説明する他の例のピンチにも適用できる。
【００２１】
つぎに、図４を参照して、本発明に係るピンチの第２の例を説明する。図４Ａはピンチ１０ａの平面図であり、図４Ｂは図４Ａ中ＩＶ−ＩＶ線上断面図である。ただし、図４Ｂにおいて、一部の部材の破断面のハッチング表示は省略している。
第２の例のピンチ１０ａは、凸部２０の設けられる板２２にスライダー２４が取り付けられる。スライダー２４は、板２２に形成した長孔２６に係合する係合部２４ａによって回動方向（図４Ａ中、矢印方向）にスライド可能である。スライダー２４に凸部２０が固着される。
ピンチ１０ａを使用するとき、洗濯物を板２２および板２８の間に挟んだ状態でスライダー２４を移動させて凸部２０を板２２および板２８の間に挿入することにより、洗濯物を確実にピンチ１０ａに挟持することができる。
【００２２】
つぎに、図５を参照して、本発明に係るピンチの第３の例を説明する。図５Ａはピンチ１０ｂの平面図であり、図５Ｂはピンチ１０ｂの側面図である。
第３の例のピンチ１０ｂは、２枚の板３０、３２のそれぞれに板ばね３４、３６が設けられ、２枚の板３０、３２を所定の力で圧接する構造とされている。なお、図５中、参照符号３８は凸部を、参照符号４０はスペーサをそれぞれ示す。
ピンチ１０ｂを使用するとき、板ばね３４、３６の力に抗してわずかに力を加えて２枚の板３０、３２を操作する必要があるが、洗濯物を確実にピンチ１０ａに挟持することができる。
【００２３】
つぎに、図６を参照して、本発明に係るピンチの第４の例を説明する。図６はピンチ１０ｃの側面図である。
第４の例のピンチ１０ｃは、２枚の板４２、４４が例えば金属板等の可撓性材料で湾曲形状に形成される。図６中参照符号４６は凸部を、参照符号４８は２枚の板４２、４４を回動可能に係止する係止部をそれぞれ示す。
ピンチ１０ｃを使用するとき、わずかに力を加えて２枚の板４２、４４を操作する必要があるが、洗濯物を確実にピンチ１０ｃに挟持することができる。
【００２４】
つぎに、図７を参照して、本発明に係るピンチの第５の例を説明する。図７はピンチ１０ｄの平面図である。
ピンチ１０ｄは、２枚の板４６、４８を吸着させる磁石構造が設けられる。すなわち、板４８は、磁性材料で形成され、板４６の凸部５０が磁石で形成される。
ピンチ１０ｄは、磁石による吸着力により洗濯物を確実に挟持することができ、また、２枚の板４６、４８を少しずらすと反発力が働き、２枚の板４６、４８が容易に離れるため、洗濯物の着脱が容易である。
【００２５】
つぎに、図８を参照して、本発明に係るピンチの第６の例を説明する。図８Ａはピンチ１０ｅの平面図であり、図８Ｂはピンチ１０ｅの正面図である。
ピンチ１０ｅは、２枚の板５０、５２の回動する側の端部の幅寸法が異なるように形成されており、板５０の主面が凸部５４の箇所を含めて細長い一定の幅寸法の矩形状に形成されるのに対して、板５２の主面が三角形状で凸部５６の側が係止部側よりも広い幅に形成される。
ピンチ１０ｅを使用するとき、板５２の幅が板５０の幅よりも大きいため、手の１指で板５０を支えながら他の１指で板５２を回動させる操作が容易である。
【００２６】
以上説明した第１の例〜第６の例のピンチ１０、１０ａ〜１０ｅは洗濯バサミを用途とするものであるが、本発明のピンチは、洗濯バサミの用途に限らず、例えば、複数枚の紙を留めておくペーパーホルダ（ペーパークリップ）や、机上に紙を置くときのペーパーウエート等、適宜の用途に用いることができる。
【００２７】
つぎに、以上説明した第１の例〜第６の例のピンチ１０、１０ａ〜１０ｅを用いた本発明に係る洗濯物ハンガーについて説明する。
本発明に係る洗濯物ハンガーは、例えば、折り畳み可能な枠体形状の部材に周知の吊り具によって本発明に係るピンチを複数吊りさげた構成を有する。
上記のように構成される本発明に係る洗濯物ハンガーは、前記した本発明に係るピンチの効果を好適に得ることができるとともに、洗濯物とピンチを片手のみで扱って洗濯物をピンチに容易に着脱することができ、また、ピンチのかさばりが小さいため、枠体形状の部材を折り畳んだ状態から開いて洗濯物ハンガーを使用するときに、吊り具に吊るした複数のピンチがからみあうおそれが少ない。
【図面の簡単な説明】
【００２８】
【図１】第１の例のピンチの平面図である。
【図２】第１の例のピンチの側面図である。
【図３Ａ】第１の例のピンチの凸部の変形例を説明するための平面図である。
【図３Ｂ】第１の例のピンチの凸部の他の変形例を説明するための平面図である。
【図３Ｃ】第１の例のピンチの凸部のさらに他の変形例を説明するための平面図である。
【図４Ａ】第２の例のピンチの平面図であり。
【図４Ｂ】図４Ａ中ＩＶ−ＩＶ線上断面図である。
【図５Ａ】第３の例のピンチの平面図である。
【図５Ｂ】第３の例のピンチの側面図である。
【図６】第４の例のピンチの側面図である。
【図７】第５の例のピンチの平面図である。
【図８Ａ】第６の例のピンチの平面図である。
【図８Ｂ】第６の例のピンチの正面図である。
【符号の説明】
【００２９】
１０、１０ａ、１０ｂ、１０ｃ、１０ｄ、１０ｅ  ピンチ
１２、１２ａ、１２ｂ、１２ｃ、１４、１４ａ、２２、２８、３０、３２、４２、４４、４６、５０、５２  板
１６、１６ａ、１６ｂ、１６ｃ、１６ｄ、１６ｅ、３８、５０、５４、５６  凸部
１８、４８  係止部
１８ａ、４０  スペーサ
１８ｅ  ピン部材
２４  スライダー
２４ａ  係合部
３４、３６  板ばね
【図１】
2006110395.tif 000003
【図２】
2006110395.tif 000004
【図３Ａ】
2006110395.tif 000005
【図３Ｂ】
2006110395.tif 000006
【図３Ｃ】
2006110395.tif 000007
【図４Ａ】
2006110395.tif 000008
【図４Ｂ】
2006110395.tif 000009
【図５Ａ】
2006110395.tif 000010
【図５Ｂ】
2006110395.tif 000011
【図６】
2006110395.tif 000012
【図７】
2006110395.tif 000013
【図８Ａ】
2006110395.tif 000014
【図８Ｂ】
2006110395.tif 000015